(57)【要約】【課題】  車両幅に対して左程の余裕スペースを置くことなく設置された車両２台駐車用の駐車場に設置しても，車両の出入りを容易になし得る伸縮門扉を提供する。【解決手段】  一対の戸当り支柱１間に伸縮門扉本体２を双方向開閉自在に配置するとともに，各戸当り支柱１と伸縮門扉本体２両端の戸先枠２１間に施錠装置２６を配置し，また一対の戸当り支柱１間の地表に保持レール３を固定して，その上向きの口狭開口に伸縮門扉本体２の戸先枠２１及び所定間隔の縦枠２２の下端に設置した外れ止め金具３４のボルト軸３５を移動自在に挿通し，該ボルト軸３５に固定したプレート３７を保持レール３の係合溝３３に係合して伸縮門扉本体２の盗難可能性を解消する。車両出入側を開成すれば，戸当り支柱１の内側に，回動した伸縮門扉本体が残らないので，車両の出入りを容易になし得る。【選択図】  図６
2008075256.tif 000002
【特許請求の範囲】
【請求項１】
複数車両並列駐車用の開口幅を有する駐車場に用いる伸縮門扉であって，該駐車場の開口両端に配置した一対の戸当り支柱と，該一対の戸当り支柱間に幅方向双方から開閉自在に配置した伸縮門扉本体と，上記両端の支柱と該伸縮門扉本体の両端に配置した施錠装置とを備えるとともに該伸縮門扉本体を常時取外し不能に保持する伸縮門扉本体の保持手段とを備えてなることを特徴とする複数車両並列駐車場用伸縮門扉。
【請求項２】
上記伸縮門扉本体の保持手段を，上記両端の戸当り支柱間の地表に固定した保持レールと，該保持レールに移動自在にして脱出不能に係合した伸縮門扉本体の下端に配置した外れ止め金具とによって形成してなることを特徴とする請求項１に記載の複数車両並列駐車場用伸縮門扉。
【請求項３】
上記保持レールを，地表に先付固定した先付部位と，該先付部位を延長するように地表に後付固定した後付部位とに複数分割してなることを特徴とする請求項２に記載の複数車両並列駐車場用伸縮門扉。
【請求項４】
上記保持レールを，口狭開口を有する断面Ｃ字状の係合溝を備えて形成し且つ上記外れ止め金具を，上記口狭開口を移動自在とする支持部と該支持部に設置して上記係合溝の口狭開口を通過不能の係合具とを備えて形成してなることを特徴とする請求項３に記載の複数車両並列駐車場用伸縮門扉。
【請求項５】
上記外れ止め金具を，該伸縮門扉本体が備えた幅方向移動自在の縦枠下端に設置したキャスター又は転動ローラー取付用の取付枠に下向きに設置してなることを特徴とする請求項２乃至４のいずれかに記載の複数車両並列駐車場用伸縮門扉。
【発明の詳細な説明】
【技術分野】
【０００１】
本発明は，複数車両並列駐車用の開口幅を有する駐車場に用いる複数車両並列駐車場用伸縮門扉に関する。
【背景技術】
【０００２】
この種伸縮門扉として，一方を吊元支柱とし，他方を戸当り支柱として，住宅等の駐車場の開口両端に配置した一対の支柱と，該一対のうち一方の吊元支柱に幅方向一端の吊元側を吊り固定して該一対の支柱間に配置した伸縮門扉本体と，上記一対のうち他方の戸当り支柱と該伸縮門扉本体の端部に配置した施錠装置を備えた片開き用の伸縮門扉が従来から広く用いられており，複数車両並列駐車用の開口幅を有する駐車場に用いる伸縮門扉として，上記片開き用の伸縮門扉本体を一対用いて，双方を吊元支柱とし，各吊元支柱に伸縮門扉本体を吊り固定して各伸縮門扉本体の戸先側に施錠装置を配置して双方の伸縮門扉を施錠するものとされており，このとき該伸縮門扉本体は吊元支柱に対してヒンジを介して上記吊り支持することによって，折畳んだ伸縮門扉本体を敷地側に９０度回動し，折畳み幅寸法より短尺の伸縮門扉の奥行寸法が吊元支柱に残るようにすることによって吊元支柱間の開口を可及的に広く確保して車両の出入りを容易化するものとされており，また下記特許文献では，上記施錠装置が伸縮門扉本体に上下方向のズレが生じることによって外れる可能性があるとして，該伸縮門扉本体の盗難を防止するために伸縮門扉本体の戸先間にスライド防止装置を配置したものとされている。
【０００３】
【特許文献１】特開２００１−２０７７６６号公報
【発明の開示】
【発明が解決しようとする課題】
【０００４】
この場合並列駐車した車両の出入りを可能とするし，折畳んだ伸縮門扉本体が回動するから，可及的に開口を広く確保できるが，例えば都市部における複数車両を並列駐車可能にした駐車場は，その敷地の有効利用の観点から，複数の車両幅に対して左程の余裕スペースを置くことなく設置されることが多く，特に建売住宅等にこの傾向が強い。この場合，上記伸縮門扉本体が回動するとしても，例えば２０ｃｍ程度の伸縮門扉本体の奥行幅が吊元支柱からその開口内に残るために，車両の出入りに際しては，これを避けてその接触のないようにするためにハンドルの左右切返し操作が必要となり，車両の出入りが煩雑となる上，場合によっては車両が伸縮門扉本体に接触して双方を破損する可能性も残る。
【０００５】
本発明はかかる事情に鑑みてなされたもので，その解決課題とするところは，複数車両並列駐車用の開口幅を有する駐車場に用いる伸縮門扉に用いて，該開口幅を可及的に広く確保して，車両の出入りを可及的に容易且つスムーズになし得るようにした複数車両並列駐車場用伸縮門扉を提供するにある。
【課題を解決するための手段】
【０００６】
上記課題に沿って本発明は，開口部両端の一対の支柱を双方ともに戸当り支柱とし，該開口幅を一対の戸当り支柱間に伸縮門扉本体を双方向に開閉自在に配置し，上記一対の戸当り支柱との間に施錠装置を配置する一方，伸縮門扉本体を常時取り外し不能に保持する保持手段を備えたものとし，上記双方向開閉自在とすることによって，駐車場に出入りする側を開成したときに，開口にはその戸当り支柱のみが存在するようにして，上記回動することによって残る伸縮門扉本体の幅相当分の長さを車両出入り用の有効スペースとして使用可能とするとともに回動半径分に応じた車両の引下げ幅を不要とすることによって伸縮門扉本体の駐車車両への近接配置を可能とし，また上記保持手段を備えることによって，施錠装置の解錠時に予想される盗難の可能性を解消したものであって，即ち請求項１に記載の発明を，複数車両並列駐車用の開口幅を有する駐車場に用いる伸縮門扉であって，該駐車場の開口両端に配置した一対の戸当り支柱と，該一対の戸当り支柱間に幅方向双方から開閉自在に配置した伸縮門扉本体と，上記両端の支柱と該伸縮門扉本体の両端に配置した施錠装置とを備えるとともに該伸縮門扉本体を常時取外し不能に保持する伸縮門扉本体の保持手段とを備えてなることを特徴とする複数車両並列駐車場用伸縮門扉としたものである。
【０００７】
請求項２に記載の発明は，上記に加えて，上記保持手段を，地表に固定した保持レールに対して係合した伸縮門扉側の外れ止め金具によって構成して，可及的簡易な構造にして，伸縮門扉本体の開閉を妨げることなくこれを確実に保持し，長期に亘って安定した伸縮門扉の保持をなし得るものとするように，これを，上記伸縮門扉本体の保持手段を，上記両端の戸当り支柱間の地表に固定した保持レールと，該保持レールに移動自在にして脱出不能に係合した伸縮門扉本体の下端に配置した外れ止め金具とによって形成してなることを特徴とする請求項１に記載の複数車両並列駐車場用伸縮門扉としたものである。
【０００８】
請求項３に記載の発明は，同じく上記に加えて，上記保持レールを先付部位と後付部位とに複数分割することによって，地表に先付した先付部位の長手方向端部から該先付部位に外れ止め金具を係合し，後付部位を地表に後付することによって，伸縮門扉本体の下端に配置した外れ止め金具の保持レールへの係合を容易になし得るように，これを，上記保持レールを，地表に先付固定した先付部位と，該先付部位を延長するように地表に後付固定した後付部位とに複数分割してなることを特徴とする請求項２に記載の複数車両並列駐車場用伸縮門扉としたものである。
【０００９】
請求項４に記載の発明は，同じく上記に加えて，上記保持レール及び外れ止め金具を可及的簡単な構造にして確実な保持をなし得るものとするように，これを，上記保持レールを，口狭開口を有する断面Ｃ字状の係合溝を備えて形成し且つ上記外れ止め金具を，上記口狭開口を移動自在とする支持部と該支持部に設置して上記係合溝の口狭開口を通過不能の係合具とを備えて形成してなることを特徴とする請求項３に記載の複数車両並列駐車場用伸縮門扉としたものである。
【００１０】
請求項５に記載の発明は，同じく上記に加えて，伸縮門扉本体に対する外れ止め金具の設置を，一般的な伸縮構造の伸縮門扉本体が備えた幅方向移動自在の縦枠のキャスター又は転動ローラーの取付枠を利用して行うことによって，該伸縮門扉本体の構造を可及的に維持して該外れ止め金具の設置を容易になし得るものとするように，これを，上記外れ止め金具を，該伸縮門扉本体が備えた幅方向移動自在の縦枠下端に設置したキャスター又は転動ローラー取付用の取付枠に下向きに設置してなることを特徴とする請求項２乃至４のいずれかに記載の複数車両並列駐車場用伸縮門扉としたものである。
【００１１】
本発明は，これらをそれぞれ発明の要旨として上記課題解決の手段としたものである。
【発明の効果】
【００１２】
本発明は以上のとおりに構成したから，請求項１に記載の発明は，開口部両端の一対の支柱を双方ともに戸当り支柱とし，該開口幅を一対の戸当り支柱間に伸縮門扉本体を双方向に開閉自在に配置し，上記一対の戸当り支柱との間に施錠装置を配置する一方，伸縮門扉本体を常時取り外し不能に保持する保持手段を備えたものとし，上記双方向開閉自在とすることによって，駐車場に出入りする側を開成したときに，開口には戸当り支柱のみが存在するようにして，上記回動することによって残る伸縮門扉本体の幅相当分の長さを車両出入り用の有効スペースとして使用可能とするとともに回動半径分に応じた車両の引下げ幅を不要とすることによって伸縮門扉本体の駐車車両への近接配置を可能とし，また上記保持手段を備えることによって，施錠装置の解錠時に予想される盗難の可能性を解消し，複数車両並列駐車用の開口幅を有する駐車場に用いる伸縮門扉に用いて，該開口幅を可及的に広く確保して，車両の出入りを可及的に容易且つスムーズになし得るようにした複数車両並列駐車場用伸縮門扉を提供することができる。
【００１３】
請求項２に記載の発明は，上記に加えて，上記保持手段を，地表に固定した保持レールに対して係合した伸縮門扉側の外れ止め金具によって構成して，可及的簡易な構造にして，伸縮門扉本体の開閉を妨げることなくこれを確実に保持し，長期に亘って安定した伸縮門扉の保持をなし得るものとすることができる。
【００１４】
請求項３に記載の発明は，同じく上記に加えて，上記保持レールを先付部位と後付部位とに複数分割することによって，地表に先付した先付部位の長手方向端部から該先付部位に外れ止め金具を係合し，後付部位を地表に後付することによって，伸縮門扉本体の下端に配置した外れ止め金具の保持レールへの係合を容易になし得るものとすることができる。
【００１５】
請求項４に記載の発明は，同じく上記に加えて，上記保持レール及び外れ止め金具を可及的簡単な構造にして確実な保持をなし得るものとすることができる。
【００１６】
請求項５に記載の発明は，同じく上記に加えて，伸縮門扉本体に対する外れ止め金具の設置を，一般的な伸縮構造の伸縮門扉本体が備えた幅方向移動自在の縦枠のキャスター又は転動ローラーの取付枠を利用して行うことによって，該伸縮門扉本体の構造を可及的に維持して該外れ止め金具の設置を容易になし得るものとすることができる。
【発明を実施するための最良の形態】
【００１７】
以下図面の例に従って本発明を更に具体的に説明すれば，Ａは複数車両，例えば２台並列駐車場用の伸縮門扉であり，該伸縮門扉Ａは，上記２台の車両並列駐車用の開口幅を有する駐車場に用いるものとしてあり，該駐車場の開口両端に配置した一対の戸当り支柱１と，該一対の戸当り支柱１間に幅方向双方から開閉自在に配置した伸縮門扉本体２と，上記両端の支柱１と該伸縮門扉本体２の両端に配置した施錠装置２６とを備えるとともに該伸縮門扉本体２を常時取外し不能に保持する伸縮門扉本体２の保持手段とを備えたものとしてある。
【００１８】
本例にあって，該伸縮門扉Ａは，例えばその一対の戸当り支柱１及び伸縮門扉本体２にアルミ押出材を用いたアルミ製のものとしてあり，本例の支柱１は，断面矩形又は方形にして上端をキャップで閉塞した中空のものとし，また伸縮門扉本体２は，例えば下向きコ字状の戸先枠２１及び該戸先枠２１間の幅方向移動用にして多数の縦枠２２を，伸縮リンク機構をなすように配置した多数の傾斜桟２３で連結することによって，幅方向に縮小開成し且つ伸長閉成するように伸縮自在とするとともに戸先側先端の戸先枠２１及び上記幅方向移動用多数のうちの一部の縦枠２２，例えば数本置きの縦枠２２の下端にそれぞれ取付枠２４を介してキャスター又は転動ローラー，本例にあってはキャスター２５を多数設置して形成した幅方向に単一且つ一体の構造のものとしてある。
【００１９】
該伸縮門扉本体２は，その伸長閉成状態で一対の戸当り支柱１間に双方向開閉自在に配置してあり，これによって幅方向いずれの端部側からもその開閉を可能としてあり，このとき該伸縮門扉本体２の幅方向両端の戸先枠２１と一対の戸当り支柱１との間に，例えば一方を鎌錠，他方を錠受とした施錠装置２６を介在して，該伸縮門扉本体２の幅方向両端の施錠と解錠を個別になし得るようにしてあり，本例にあって上記鎌錠を伸縮門扉本体２の幅方向両端に，図示省略の錠受を一対の戸当り支柱１に配置して，該伸縮門扉本体２の該両端をそれぞれ各戸当り支柱１に施開錠自在としてある。
【００２０】
従って複数，本例にあって並列した２台のうちの一方の車両出入りに際して，上記施錠装置２６を開錠操作して該開錠側から伸縮門扉本体２を他方の施錠側の戸当り支柱１に向けて押圧して，例えば該車両幅分の開口とするように部分開成すれば，開錠側の戸当り支柱１から伸縮門扉本体２の端部間に出入り用の開口が形成されて，車両は該開口を利用してその出入りを行うことができ，このとき戸当り支柱１には，従来の吊元支柱におけるように回動した伸縮門扉本体の幅相当分が残存することがないので，車両の出入りに該回動した伸縮門扉本体の存在を顧慮する必要がなく，該伸縮門扉本体２の幅相当分の長さを車両出入り用の有効スペースとして使用可能となり，特に開口が十分に確保できない２台の並列駐車用の駐車場の伸縮門扉として使い勝手のよいものとすることができる。
【００２１】
このとき該伸縮門扉Ａは，上記施錠装置２６開錠時に伸縮門扉本体２を常時取外し不能に保持する上記伸縮門扉本体２の保持手段を備えて，該伸縮門扉本体２の盗難の可能性を解消したものとしてあり，本例にあって該伸縮門扉本体２の保持手段は，これを，上記両端の戸当り支柱１間の地表に固定した保持レール３と，該保持レール３に走行自在にして脱出不能に係合した伸縮門扉本体２の下端に配置した外れ止め金具３４とによって形成したものとしてある。
【００２２】
本例にあって上記保持レール３は，これを，口狭開口を有する断面Ｃ字状の係合溝３３を備えて形成し且つ上記外れ止め金具３４を，上記口狭開口を移動自在とする支持部と該支持部に設置して上記係合溝の口狭開口を通過不能の係合具とを備えて形成してあり，このとき該外れ止め金具は，これを，上記幅方向移動自在の戸先枠２１及び縦枠２２下端に設置したキャスター又は転動ローラー取付用の取付枠，本例にあってはキャスター２５取付用の取付枠２４に下向きに設置したものとしてある。
【００２３】
本例の保持レール３は，例えばアルミ押出材を用いたアルミ製としてあり，上記口狭開口を上向きに有することによって上記断面Ｃ字状とした係合溝３３を有するとともに車両の出入りや人の躓きを防止するように前後に傾斜面を配置して全体の断面を裁頭三角形状としその傾斜面間に区画壁を配置することによって上記係合溝３３を区画配置し，また該係合溝３３の底壁を地表固定面とするようにしたものとしてあり，該保持レール３は，例えば地表のコンクリートに設置したアンカープラグに，保持レールの口狭開口から固定ネジを螺入することによって，その長手方向に多数箇所の金具固定を施すことによって，その地表への固定を行ってある。
【００２４】
一方上記外れ止め金具３４は，本例の上記キャスター２５の各取付枠２４の長手方向中央位置から垂直に支持部を垂下し，該支持部に保持レール３の口狭開口の開口幅より径大の係合部を配置して形成した伸縮門扉本体幅方向中央位置に配置した上記キャスター２５と同数のものとしてあり，本例にあって該外れ止め金具３４は，上記取付枠２４に形成した螺孔に螺装した支持部をなすボルト軸３５と，該ボルト軸３５に遊嵌状に嵌合したボルト軸保護用鋼製の遊嵌軸３６と，上記ボルト軸３５の下端にネジ止めした係合部をなす径大にしてリング状鋼製のプレート３７とを備えて形成してある。
【００２５】
従って外れ止め金具３４を保持レール３に係合すると，伸縮門扉本体２の開閉に伴って外れ止め金具３のボルト軸３５が鋼製の遊嵌軸３６を介して口狭開口を移動するとともに鋼製リング状のプレート３７が保持レール３の係合溝３３に脱出不能に係合して移動して，伸縮門扉本体２は，該多数の外れ止め金具３４を介して保持レール３に保持されるに至り，該伸縮門扉本体２は施錠装置２６の開錠時を含めて保持レール３から取外すことが常時不能になり，従って該伸縮門扉本体２を２台並列駐車用の駐車場から持ち去ることができず，その盗難の可能性を解消することができる。
【００２６】
このとき上記保持レール３は，一対の戸当り支柱１間に，該戸当り支柱１が保持レール３の端部を閉塞するか又は伸縮門扉本体の縮小開成幅以下の間隔を置くように，これを設置することが，保持レール３の端部からの係合部の抜き取りとこれによる持ち去りを防止する上で必要であるところ，本例にあって上記保持レール３は，これを，地表に先付固定した先付部位３１と，該先付部位３１を延長するように地表に後付固定した後付部位３２とに複数分割したものとしてあり，これにより，地表に先付した先付部位３１の長手方向端部から該先付部位３１に外れ止め金具３４を係合し，後付部位３２を地表に後付することによって，伸縮門扉本体２の下端に配置した外れ止め金具３４の保持レール３への係合を容易になし得るようにしたものとしてある。
【００２７】
即ち保持レール３は，それぞれ単一の先付部位３１と後付部位３２とに２分割したものとするか又は先付部位３１及び／又は後付部位３２を２乃至３分割したものとする如くに，例えばトラック搬送の荷台長さとの関係，伸縮門扉設置現場における作業性等の事情を考慮して適宜長さと分割本数のものにすることができ，このとき保持レール３の先付部位３１は，その地表への固定状態で，少なくとも伸縮門扉本体２の縮小してその外れ止め金具３４を全て保持レール３の係合溝３３に係合し得る長さとすることによって，その長手方向端部から全ての外れ止め金具３４を順次係合溝３３に係合可能となし得る。図示した例にあっては，該保持レール３を２分割とし，例えば先付部位３１の長さを３ｍ程度，後付部位３２の長さを１．８ｍ程度としたものとしてあり，このとき先付部位３１を地表に固定した状態で後付部位３２の長さを１．８ｍとして伸縮門扉本体２の縮小幅より幅広としたことによって，先付部位３１の長手方向端部から外れ止め金具３４を係合するに際して伸縮門扉本体２を配置するスペースを確保し得るようにしてある。
【００２８】
従って本例の伸縮門扉Ａは，一対の戸当り支柱１を起立設置し，該一対の戸当り支柱１間に，保持レール３の先付部位３１を地表に固定し，これを一方の戸当り支柱１に一端を付き合わせるように配置して，該先付部位３１の長手方向他端側から，伸縮門扉本体２を該先付部位３１に沿って走らせて，上記プレート３７を保持レール３の係合溝３３に順次挿入するようにして該伸縮門扉本体２下端の外れ止め金具３４をこれに係合し，その後に該先付部位３１を他方の戸当り支柱１まで延長するように保持レール３の後付部位３２を地表に固定するようにその設置を行うものとしてあり，これによって伸縮門扉本体２は，一対の戸当り支柱１間に開閉自在に設置されるとともに保持レール３に対して常時取外し不能に保持されて，その盗難の可能性を解消することができる。
【００２９】
図示した例は以上のとおりとしたが，伸縮門扉本体を，縦枠乃至パネルを重畳状に折畳むようにその伸縮開閉を行うものとすること，伸縮門扉本体を幅方向中間で連結することによって既存複数の伸縮門扉本体によって形成すること，伸縮門扉本体の保持手段を，一対の戸当り支柱間の高位置に門型をなすように上枠を配置し，伸縮門扉の両端の戸先枠乃至縦枠から起立杆を立設して該起立杆の先端を上記上枠に係合するようにすること，上記保持レールにおける断面Ｃ字状の係合溝の口狭開口を，敷地側又は道路側に向けて開口する横向きとし，また斜め傾斜方向に向けて開口する斜め上向きとすること，保持レールを，その係合溝を上方に開口するように埋込状に設置して地表に固定すること等を含めて，戸当り支柱，伸縮門扉本体，施錠装置，伸縮門扉本体の保持手段，必要に応じて用いる保持レール，外れ止め金具，先付部位，後付部位等の各具体的構造，材質，形状，寸法，これらの関係，これらに対する付加等は，上記発明の要旨に反しない限り様々な形態のものとすることができる。
【図面の簡単な説明】
【００３０】
【図１】伸縮門扉の正面図である。
【図２】伸縮門扉の平面図である。
【図３】伸縮門扉本体を一方の戸当り支柱側に向けて縮小開成した状態を示す正面図である。
【図４】図３の平面図である。
【図５】伸縮門扉本体を他方の戸当り支柱側に向けて縮小開成した状態を示す正面図である。
【図６】保持レールに外れ止め金具を係合した状態を示す拡大断面図である。
【符号の説明】
【００３１】
Ａ  伸縮門扉
１  戸当り支柱
２  伸縮門扉本体
２１  戸先枠
２２  縦枠
２３  傾斜桟
２４  取付枠
２５  キャスター
２６  施錠装置
３  保持レール
３１  先付部分
３２  後付部分
３３  係合溝
３４  外れ止め金具
３５  ボルト軸
３６  遊嵌軸
３７  プレート
【図１】
2008075256.tif 000003
【図２】
2008075256.tif 000004
【図３】
2008075256.tif 000005
【図４】
2008075256.tif 000006
【図５】
2008075256.tif 000007
【図６】
2008075256.tif 000008